(57)【要約】【課題】サーバから一般ユーザーの端末に、端末のスクリーンショット機能が禁止されていることを条件にコンテンツを提供することができるコンテンツ提供方法、サーバ及び端末のプログラムを提供する。【解決手段】第１のサーバ１４から、第２のサーバへの１６，１７のリンク情報を含むコンテンツが端末１２に送信される。端末１２においてリンク情報が選択されると、第１サーバ１４から、電子証明書が同梱された第１の構成プロファイルが端末１２に送信され、端末１２はスクリーショット機能が禁止に設定にされる。端末１２に電子証明書が保存されているときに、第１のサーバ１４から端末１２に、第２のサーバ１６，１７のＵＲＬが送信される。ＵＲＬにアクセスし、第２のサーバ１６，１７から取得したコンテンツをディスプレイ１２ａに表示するとき、端末１２はスクリーショット機能が禁止に設定されている。【選択図】図１
2014186585.tif 000002
【特許請求の範囲】
【請求項１】
第１のサーバから端末に、第２のサーバへのリンク情報を含むコンテンツが送信され、前記端末のディスプレイに前記リンク情報が表示される第１のステップと、
前記端末において、前記ディスプレイに表示された前記リンク情報を選択する操作がされたときに、前記第１サーバから前記端末に、電子証明書が同梱され前記端末のスクリーンショット機能を禁止に設定するための第１の情報を含む第１の構成プロファイルが送信され、前記第１の構成プロファイルに基づいて前記端末のスクリーショット機能が禁止に設定にされるとともに前記第１の構成プロファイルが前記端末の機能設定情報として前記端末に保存される第２のステップと、
前記端末に前記電子証明書が保存されているときに、前記第１のサーバから前記端末に、前記第２のサーバのＵＲＬが送信される第３のステップと、
前記端末が前記ＵＲＬにアクセスし、前記第２のサーバからコンテンツを取得して、当該コンテンツを前記ディスプレイに表示する第４のステップと、
を備え、
前記第４のステップにおいて、前記端末は前記スクリーショット機能が禁止に設定されていることを特徴とする、コンテンツ提供方法。
【請求項２】
前記端末において前記第４のステップの終了又は休止が要求されたとき、前記第１のサーバから前記端末に、前記端末のスクリーンショット機能を許可に設定するための第２の情報を含む第２の構成プロファイルが送信され、前記第２の構成プロファイルに基づいて前記端末のスクリーショット機能が許可に設定される第５のステップを、さらに備えたことを特徴とする、請求項１に記載のコンテンツ提供方法。
【請求項３】
端末に、電子証明書が同梱され前記端末のスクリーンショット機能を禁止に設定するための第１の情報を含む第１の構成プロファイルを送信する第１の構成プロファイル送信部と、
前記端末から受信した電子証明書の真偽を判定する判定部と、
前記端末から受信した電子証明書が真正であると前記判定部によって判定されたときに、前記端末のスクリーンショット機能の禁止を条件にコンテンツを送信するコンテンツサーバのＵＲＬを、前記端末に送信するＵＲＬ送信部と、
を備えたことを特徴とする、サーバ。
【請求項４】
前記端末のスクリーンショット機能を許可に設定するための第２の情報を含む第２の構成プロファイルを、前記端末に送信する第２の構成プロファイル送信部を、さらに備えたことを特徴とする、請求項３に記載のサーバ。
【請求項５】
端末に、
第１のサーバから、第２のサーバへのリンク情報を含むコンテンツを受信し、前記端末のディスプレイに前記リンク情報を表示する第１のステップと、
前記ディスプレイに表示された前記リンク情報を選択する操作がされたときに、前記第１サーバから、電子証明書が同梱され前記端末のスクリーンショット機能を禁止に設定するための第１の情報を含む第１の構成プロファイルを受信し、前記第１の構成プロファイルに基づいて前記端末のスクリーショット機能を禁止に設定するとともに前記第１の構成プロファイルを前記端末の機能設定情報として前記端末に保存する第２のステップと、
前記端末に前記電子証明書が保存されているときに、前記第１のサーバから、前記第２のサーバのＵＲＬを受信する第３のステップと、
前記ＵＲＬにアクセスし、前記第２のサーバからコンテンツを取得して、当該コンテンツを前記ディスプレイに表示する第４のステップと、
を実行させるための端末のプログラム。
【請求項６】
前記端末に、
前記端末において前記第４のステップを終了又は休止する操作を検出したとき、前記第１のサーバから、前記端末のスクリーンショット機能を許可に設定するための第２の情報を含む第２の構成プロファイルを受信し、前記第２の構成プロファイルに基づいて前記端末のスクリーショット機能を許可に設定にする第５のステップを、さらに実行させることを特徴とする、請求項５に記載の端末のソフトウエア。
【発明の詳細な説明】
【技術分野】
【０００１】
本発明は、コンテンツ提供方法、サーバ、及び端末のプログラムに関し、詳しくは、インターネット上で配信されるコンテンツについて、端末での保存、コピー等を禁止する技術に関する。
【背景技術】
【０００２】
従来、端末のディスプレイに表示されたコンテンツの保存、コピー等を禁止する方法が種々提案されている。例えば、ＭＤＭ（Mobile Device Managements）サーバを用いると、ＭＤＭサーバから端末の状態を管理し、データへのアクセスや保存等の端末の動作を、ＭＤＭサーバからの操作によって禁止することができる（例えば、特許文献１参照）。
【先行技術文献】
【特許文献】
【０００３】
【特許文献１】特開２０１１−１４５７７２号公報
【発明の概要】
【発明が解決しようとする課題】
【０００４】
端末には、端末のディスプレイに表示されている画面表示を画像データとして保存するスクリーンショット機能が搭載されている。
【０００５】
端末の機能は、端末に構成プロファイルをインストールすることによって設定することができる。企業が業務用端末を一元管理する場合には、ＭＤＭサーバから端末の機能を自由に設定することができる。しかしながら、一般ユーザーが使用する端末は、ＭＤＭサーバで端末の機能を管理することができない。
【０００６】
一般ユーザーが使用する端末においてスクリーンショット機能を禁止するには、端末のユーザー自身が操作して、端末に構成プロファイルをインストールする必要がある。しかしながら、一般のユーザーにとって、端末に構成プロファイルをインストールする操作を自ら行うことは簡単ではない。
【０００７】
スクリーンショット機能は便利であるため、端末のＯＳ（基本ソフト）は、スクリーンショット機能が簡単に禁止されることがないように設計されている。そのため、端末にインストールされたアプリによって端末のスクリーンショット機能を禁止することは、不可能であると考えられている。例えば、端末にインストールされたアプリは、通常のボタン操作は検知できるが、スクリーンショット機能を実行するときの複数ボタンの同時操作は検知できない。また、スクリーンショット機能によって保存された画像データは、アプリからアクセスしたり書き換えたりすることができない。
【０００８】
したがって、サーバから一般ユーザーの端末に、端末のスクリーンショット機能が禁止されていることを条件に、個人情報を含むコンテンツや著作権保護が必要なコンテンツなどのコンテンツを提供することは困難である。
【０００９】
本発明は、かかる実情に鑑み、サーバから一般ユーザーの端末に、端末のスクリーンショット機能が禁止されていることを条件にコンテンツを提供することができるコンテンツ提供方法、サーバ、及び端末のプログラムを提供しようとするものである。
【課題を解決するための手段】
【００１０】
本発明は、上記課題を解決するために、以下のように構成したコンテンツ提供方法を提供する。
【００１１】
コンテンツ提供方法は、（ｉ）第１のサーバから端末に、第２のサーバへのリンク情報を含むコンテンツが送信され、前記端末のディスプレイに前記リンク情報が表示される第１のステップと、（ii）前記端末において、前記ディスプレイに表示された前記リンク情報を選択する操作がされたときに、前記第１サーバから前記端末に、電子証明書が同梱され前記端末のスクリーンショット機能を禁止に設定するための第１の情報を含む第１の構成プロファイルが送信され、前記第１の構成プロファイルに基づいて前記端末のスクリーショット機能が禁止に設定にされるとともに前記第１の構成プロファイルが前記端末の機能設定情報として前記端末に保存される第２のステップと、（iii）前記端末に前記電子証明書が保存されているときに、前記第１のサーバから前記端末に、前記第２のサーバのＵＲＬが送信される第３のステップと、（iv）前記端末が前記ＵＲＬにアクセスし、前記第２のサーバからコンテンツを取得して、当該コンテンツを前記ディスプレイに表示する第４のステップとを備える。前記第４のステップにおいて、前記端末は前記スクリーショット機能が禁止に設定されている。
【００１２】
上記方法において、電子証明書は第１の構成プロファイルに同梱されているため、端末において、第１の構成プロファイルが削除されると、電子証明書も削除される。そのため、電子証明書の有無によって、第１の構成プロファイルの有無を判別することができる。
【００１３】
端末に保存されている構成プロファイルについて、構成プロファイルに含まれる端末機能の設定内容は、特別な権限が与えられないと参照することができないが、端末に保存されている電子証明書は、特別な権限が無くても参照することができる。したがって、端末内に保存されている電子証明書を参照することによって、第１の構成プロファイルに基づいて端末の機能が設定されているか否かを、容易に判別することができる。
【００１４】
上記方法によれば、第１の構成プロファイルによって端末の機能を簡単に設定し、第２のサーバの閲覧中は端末のスクリーンショット機能が使えないようにすることができる。
【００１５】
好ましくは、前記端末において前記第４のステップの終了又は休止が要求されたとき、前記第１のサーバから前記端末に、前記端末のスクリーンショット機能を許可に設定するための第２の情報を含む第２の構成プロファイルが送信され、前記第２の構成プロファイルに基づいて前記端末のスクリーショット機能が許可に設定される第５のステップを、さらに備える。
【００１６】
この場合、端末のスクリーンショット機能の設定を禁止から許可に簡単に戻すことができる。
【００１７】
また、本発明は、以下のように構成したサーバを提供する。
【００１８】
サーバは、（ａ）端末に、電子証明書が同梱され前記端末のスクリーンショット機能を禁止に設定するための第１の情報を含む第１の構成プロファイルを送信する第１の構成プロファイル送信部と、（ｂ）前記端末から受信した電子証明書の真偽を判定する判定部と、（ｃ）前記端末から受信した電子証明書が真正であると前記判定部によって判定されたときに、前記端末のスクリーンショット機能の禁止を条件にコンテンツを送信するコンテンツサーバのＵＲＬを、前記端末に送信するＵＲＬ送信部とを備える。
【００１９】
上記構成によれば、コンテンツサーバから端末にコンテンツが送信されるときに、端末のスクリーショット機能が禁止に設定されているようにすることができる。
【００２０】
好ましくは、前記端末のスクリーンショット機能を許可に設定するための第２の情報を含む第２の構成プロファイルを、前記端末に送信する第２の構成プロファイル送信部を、さらに備える。
【００２１】
この場合、端末のスクリーンショット機能の設定を禁止から許可に簡単に戻すことができる。
【００２２】
また、本発明は、以下のように構成した端末のプログラムを提供する。
【００２３】
端末のプログラムは、端末に、（ｉ）第１のサーバから、第２のサーバへのリンク情報を含むコンテンツを受信し、前記端末のディスプレイに前記リンク情報を表示する第１のステップと、（ii）前記ディスプレイに表示された前記リンク情報を選択する操作がされたときに、前記第１サーバから、電子証明書が同梱され前記端末のスクリーンショット機能を禁止に設定するための第１の情報を含む第１の構成プロファイルを受信し、前記第１の構成プロファイルに基づいて前記端末のスクリーショット機能を禁止に設定するとともに前記第１の構成プロファイルを前記端末の機能設定情報として前記端末に保存する第２のステップと、（iii）前記端末に前記電子証明書が保存されているときに、前記第１のサーバから、前記第２のサーバのＵＲＬを受信する第３のステップと、（iv）前記ＵＲＬにアクセスし、前記第２のサーバからコンテンツを取得して、当該コンテンツを前記ディスプレイに表示する第４のステップとを実行させるための端末のプログラムである。
【００２４】
端末のプログラムは、第４のステップが実行されるときに、端末のスクリーショット機能が禁止に設定されているようにすることができる。
【００２５】
好ましくは、端末のプログラムは、前記端末に、（ｖ）前記端末において前記第４のステップを終了又は休止する操作を検出したとき、前記第１のサーバから、前記端末のスクリーンショット機能を許可に設定するための第２の情報を含む第２の構成プロファイルを受信し、前記第２の構成プロファイルに基づいて前記端末のスクリーショット機能を許可に設定にする第５のステップを、さらに実行させる。
【００２６】
この場合、端末において第２のサーバからのコンテンツの閲覧が終了され又は休止されるときに、端末のスクリーン機能の設定が禁止から許可に簡単に戻されるようにすることができる。
【発明の効果】
【００２７】
本発明によれば、サーバから一般ユーザーの端末に、端末のスクリーンショット機能が禁止されていることを条件にコンテンツを提供することができる。
【図面の簡単な説明】
【００２８】
【図１】コンテンツ提供システムの全体構成を示すブロック図である。（実施例１）
【図２】第１のサーバの機能ブロック図である。（実施例１）
【図３】構成プロファイルの構成を示す説明図である。（実施例１）
【図４】構成プロファイルの情報を示す説明図である。（実施例１）
【図５】構成プロファイルの記述例である。（実施例１）
【図６】処理シーケンス図である。（実施例１）
【図７】処理シーケンス図である。（実施例２）
【図８】第１のサーバの機能ブロック図である。（実施例２）
【発明を実施するための形態】
【００２９】
以下、本発明の実施の形態について、図１〜図８を参照しながら説明する。
【００３０】
＜実施例１＞  実施例１のコンテンツ提供システム１０について、図１〜図６を参照しながら説明する。
【００３１】
図１は、コンテンツ提供システム１０の全体構成を示すブロック図である。図１に示すように、コンテンツ提供システム１０は、ディスプレイ１２ａを備えた端末１２と、第１のサーバ１４と、第２のサーバ１６，１７とが、携帯電話やインターネット等の通信網１８を介して接続されている。なお、簡単のため、端末１２及び第１のサーバ１４は各１台を図示しているが、複数台であっても構わない。第２のサーバ１６，１７は、１台又は３台以上であっても構わない。また、各サーバ１４，１６，１７の機能が、複数台のサーバに分散されても構わない。
【００３２】
端末１２は、基本ソフト（例えば、ｉＯＳ 4.0以降）によって基本的な操作環境が管理されるスマートフォン（例えば、iPhone４ｓ、iPhone５）である。第１及び第２のサーバ１４，１６，１７は、端末１２にＷｅｂコンテンツ（以下、単に「コンテンツ」ともいう。）を提供する。
【００３３】
端末１２には、専用アプリ（例えば、スケジュールや予定を管理するカレンダーアプリ）がインストールされる。端末１２は、専用アプリを介して、第１及び第２のサーバ１４，１６，１７からコンテンツを取得し、取得したコンテンツをディスプレイ１２ａに表示する。
【００３４】
第２のサーバ１６，１７は、端末のスクリーンショット機能の禁止など、端末においてコンテンツの複製や保存が禁止されること条件に、端末１２にコンテンツを送信するコンテンツサーバである。
【００３５】
すなわち、端末１２が第２のサーバ１６，１７からコンテンツを受信するとき、端末１２は、端末１２にインストールされた専用アプリによって、端末１２においてコンテンツの複製や保存が禁止される。具体的には、端末１２において、（ａ）端末１２のディスプレイ１２ａに表示されている文字情報をコピーするコピー機能、（ｂ）端末１２のディスプレイ１２ａに表示されている画面表示を画像データとして保存するスクリーンショット機能、（ｃ）外部モニタに、端末１２のディスプレイ１２ａと同じ画面を表示させる外部表示機能が禁止される。
【００３６】
専用アプリは、第２のサーバ１６，１７からコンテンツを取得しディスプレイ１２ａに表示するときには、例えば、次の処理によって、端末１２のコピー機能を禁止する。すなわち、端末１２のディスプレイ１２ａに表示された文字が選択されると、通常は、選択されたデータに対する処理（保存、貼り付け等）を選ぶためのメニュー表示がディスプレイ１２ａに表示される。専用アプリは、このメニュー表示が端末１２のディスプレイ１２ａに表示されないようにすることによって、端末１２のコピー機能を禁止する。
【００３７】
また、専用アプリは、第２のサーバ１６，１７からコンテンツを取得しディスプレイ１２ａに表示するときには、例えば、次の処理によって、端末１２の外部表示機能を禁止する。すなわち、ディスプレイ１２ａに表示された画像と同じ画像データが、端末１２のコネクタに接続されたケーブルや、端末１２との無線通信を介して、端末１２から外部モニタに送信されるとき、専用アプリが、送信される画像データを別の画像データ（例えば、白い画面に相当する画像データ）に差し替えることによって、端末１２の外部表示機能を禁止する。
【００３８】
また、専用アプリは、第２のサーバ１６，１７からコンテンツを取得しディスプレイ１２ａに表示するときには、例えば、次の処理によって、端末１２のスクリーンショット機能を禁止する。すなわち、第２のサーバ１６，１７からコンテンツを取得しディスプレイ１２ａに表示する前に、予め、専用アプリが、スクリーンショット機能を禁止する構成プロファイルを第１のサーバ１４からダウンロードして端末１２にインストールしておきくことよって、端末１２のスクリーンショット機能を禁止する。
【００３９】
図２は、第１のサーバ１４の機能ブロックである。図２に示すように、第１のサーバ１４は、第１の構成プロファイル送信部１４ａと、判定部１４ｂと、ＵＲＬ送信部１４ｃとを含む。第１の構成プロファイル送信部１４ａは、電子証明書が同梱され端末のスクリーンショット機能を禁止に設定するための第１の情報を含む第１の構成プロファイルを、端末に送信する。判定部１４ｂは、端末から受信した電子証明書の真偽を判定する。ＵＲＬ送信部１４ｃは、端末から受信した電子証明書が真正であると判定部１４ｃによって判定されたときに、第２のサーバのＵＲＬを、端末に送信する。
【００４０】
次に、コンテンツ提供システム１０の動作について、図３〜図６を参照しながら、さらに説明する。
【００４１】
（１）第１のステップ
端末において専用アプリが起動され、端末において所定の操作がされると、端末から第１のサーバにコンテンツを要求し、第１のサーバから端末に、第２のサーバへのリンク情報（第２のサーバへのリンクが貼られたバナー、ポップアップなど）を含むコンテンツが送信される。端末は、受信したコンテンツを、端末のディスプレイに表示する。
【００４２】
（２）第２のステップ
次いで、専用アプリが、端末において、ディスプレイに表示されたリンク情報を選択する操作がされたことを検知すると、端末と第１のサーバとが通信し、第１サーバから端末に、端末のスクリーンショット機能を禁止に設定するための第１の情報を含む第１の構成プロファイルが送信される。第１の構成プロファイルには、電子証明書が同梱されている。専用アプリは、第１の構成プロファイルに基づいて端末のスクリーショット機能を禁止に設定するとともに、第１の構成プロファイルを端末の機能設定情報として端末に保存する。
【００４３】
図３は構成プロファイル２０の構成を示す説明図である。図３に示すように、構成プロファイル２０には、電子証明書２６が同梱されている。すなわち、構成プロファイル２０は、端末１２の機能を設定するための記述２２と、第１のサーバ１４での認証に必要な電子証明書２６とを含む。端末１２の機能を設定するための記述２２は、スクリーンショット機能を禁止する記述２４を含んでいる。専用アプリは、端末１２に保存されている電子証明書２６の有無によって検知する。
【００４４】
図４は、構成プロファイルの情報を示す説明図である。図４に示すように、構成プロファイルは、項目とその内容を対にした＃１〜＃４のレコードを含む。項目としては、ペイロード識別名、スクリーンショット許可、パスワード、ペイロード証明ファイル名を含む。
【００４５】
図５は、構成プロファイルの記述例を示す。図５に示すように、構成プロファイルは、ＸＭＬ化されたデータであり、ペイロードのキーの一つとして、電子証明書のデータ２７が同梱されている。
【００４６】
第２のステップにおける具体的な動作について、図６を参照しながら説明する。図６は、処理シーケンス図である。
【００４７】
図６に示すように、端末において、ディスプレイに表示されたリンク情報を選択する操作がされると、端末にインストールされている専用アプリ１１は、第１のサーバ１４とＳＳＬによって通信するため、Ｓ１００において、端末のＯＳ（基本ソフト）に含まれる標準ブラウザ１３を起動させ、端末のディスプレイにおいて、標準ブラウザ１３が前面に現れ、専用アプリ１１はバックグラウンドに隠れる。
【００４８】
専用アプリ１１は、端末に電子証明書が保存されていることを検知できない場合、端末のディスプレイに、構成プロファイルのダウンロードの許可を求めるためのダウンロード画面を表示させる。次いで、専用アプリ１１は、端末において構成プロファイルのダウンロードを許可する操作（例えば、ダウンロード画面の許可アイコンのタップ）がされたことを検知すると、Ｓ１０２において、標準ブラウザ１３を介して第１のサーバ１４に、第１の構成プロファイルの送信を要求する。このとき同時に、端末を識別するための情報や、リンク情報が選択された第２のサーバを識別するための情報を、第１のサーバ１４に送信してもよい。次いで、Ｓ１０４において、第１のサーバ１４は、電子証明書が同梱され端末のスクリーンショット機能を禁止に設定するための第１の情報を含む第１の構成プロファイルを、標準ブラウザ１３に送信する。次いで、Ｓ１０６において、標準ブラウザ１３は、第１の構成プロファイルを端末に保存するとともに、端末のＯＳに含まれるインストーラを起動して第１の構成プロファイルに含まれる第１の情報に基づいて端末の機能を設定する。なお、第１の構成プロファイルは暗号化された状態で端末に保存され、専用アプリ１１によって復号されるようにしても構わない。
【００４９】
第１の構成プロファイルは、ダウンロードを許可する操作が１回されるだけで、自動的に端末にインストールされる。ユーザーによる端末の操作を減らすことができるので、使いやすさ（ユーザビリティ）が優れている。
【００５０】
（３）第３のステップ
次いで、専用アプリは、端末に電子証明書が保存されているときに、第１のサーバ１４から、第２のサーバにアクセスするためのパスワード付きＵＲＬを受信する。
【００５１】
具体的には、図６に示すように、Ｓ１０８において、標準ブラウザ１３は、構成プロファイルに同梱された電子証明書のデータを添付したリクエストデータを、第１のサーバ１４に送信し、認証を要求する。次いで、第１のサーバ１４が、受け取った電子証明書のデータが真正であることを確認すると、Ｓ１１０において、第１のサーバ１４は、第２のサーバ１６にアクセスするためのパスワード付きＵＲＬスキームを、標準ブラウザ１３に送信する。次いで、Ｓ１１２において、標準ブラウザ１３は、パスワード付きＵＲＬスキームを専用アプリ１１に引き渡した後、起動を停止し、端末のディスプレイにおいて専用アプリ１１が前面に現れる。
【００５２】
（４）第４のステップ
次いで、端末がＵＲＬにアクセスし、第２のサーバからコンテンツを取得して、取得したコンテンツをディスプレイに表示する。このとき、端末のスクリーンショット機能は、禁止に設定されている。
【００５３】
具体的には、図６に示すように、Ｓ１１４において、専用アプリ１１は、引き渡されたパスワード付きＵＲＬスキームにアクセスして、第２のサーバ１６に、ＷＥＢコンテンツのリクエストを送信する。次いで、第２のサーバ１６は、受け取ったリクエストを判別し、Ｓ１１６において、リクエストに応じたＷＥＢコンテンツを、端末１２に送信する。以後、端末における操作に応じて、Ｓ１１４、Ｓ１１６の処理を繰り返す。
【００５４】
第４のステップにおいて、最初にログイン処理を行うようにすると、セキュリティーが向上する。例えば、初めてＳ１１４を実行し、専用アプリ１１が最初のリクエストを送信すると、Ｓ１１６において、第２のサーバ１６は、ログインのためのコンテンツ（例えば、会員番号、パスワードの入力画面）を専用アプリ１１に送信する。
【００５５】
また、第４のステップにおいて、専用アプリ１１は、端末のコピー機能及び外部表示機能を禁止する。
【００５６】
端末１２にすでに電子証明書が保存されている場合には、Ｓ１００において標準ブラウザが起動したのち、構成プロファイルをインストールするための処理（Ｓ１０２，Ｓ１０４，Ｓ１０６）をスキップし、Ｓ１０８以降の処理を実行する。
【００５７】
第１の構成プロファイルには、電子証明書が同梱されている。構成プロファイルが削除されると、構成プロファイルに同梱された電子証明書も削除される。構成プロファイルが削除されているときには、端末のスクリーンショットが禁止に設定されていない。このときは、電子証明書も削除されているので、端末は、第２のサーバにアクセスするためのＵＲＬを、第１のサーバから受け取ることができない。そのため、端末は、第２のサーバからコンテンツを取得することができない。
【００５８】
したがって、端末に構成プロファイルがインストールされ、端末のスクリーンショット機能の制限された状態のときにのみ、端末は第２のサーバからコンテンツを取得することができる。
【００５９】
専用アプリを用いると、専用アプリがインストールされた端末において、第２のサーバから取得したコンテンツの保存、コピー等の機能を制限することができる。専用アプリは、一般ユーザーが使用する端末にインストールすることができる。
【００６０】
端末のディスプレイに、第２のサーバから送信されたコンテンツを表示する処理（図６のＳ１１４、Ｓ１１６）の実行中に、端末において、専用アプリをバックグラウンドに隠すスリープ操作、あるいは、専用アプリを停止させるシャットダウン操作がされたことを検知すると、専用アプリは、スリープ状態となる前、あるいはシャットダウンされる前に、端末のクッキーとキャッシュの全てのデータを消去する処理を行うことが好ましい。専用アプリは、スリープ後に復帰するときや、シャットダウン後に再起動するときに、図６のＳ１００から処理を実行することが好ましい。これらの処理によって、第２のサーバから提供されたコンテンツが、スリープ操作あるいはシャットダウン操作の後に流出することを防ぐことができる。
【００６１】
端末１２において、別の第２のサーバ１７へのリンクにアクセスする操作がされた場合も、同様の処理を行う。この場合、構成プロファイルに同梱される電子証明書は、セキュリティー確保のため、第２のサーバ１６，１７ごとに異なるようにすることが好ましい。
【００６２】
端末のＯＳは、端末に保存されている構成プロファイルについて、構成プロファイルに含まれる端末機能の設定内容は、特別な権限が与えられないと参照を許可しない。しかし、端末に保存されている電子証明書は、特別な権限が無くても参照可能である。したがって、端末に保存されている電子証明書を参照することによって、第１の構成プロファイルに基づいて端末の機能が設定されているか否かを、容易に判別することができる。
【００６３】
一般ユーザーの端末に専用アプリをインストールすれば、第２のサーバの閲覧中は端末のスクリーンショット機能が使えないように、端末の機能を簡単に設定することができる。
【００６４】
＜実施例２＞  実施例２のコンテンツ提供システムについて、図７及び図８を参照しながら説明する。
【００６５】
実施例２のコンテンツ提供システムは、実施例１のコンテンツ提供システムと略同様に構成されている。以下では、実施例１と同じ構成部分には同じ符号を用い、実施例１との相違点を中心に説明する。
【００６６】
実施例２のコンテンツ提供システムは、実施例１と同様に、専用アプリによって第２のサーバを閲覧するとき、端末は第１の構成プロファイルによってスクリーンショット機能が禁止されている。第１の構成プロファイルがそのまま端末に保存されていると、専用アプリを終了した後も、端末はスクリーンショット機能が禁止された状態のままとなる。
【００６７】
この場合、端末のユーザー自身が端末を操作し、設定画面から構成プロファイルを削除すれば、スクリーンショット機能の禁止を解除できる。しかしながら、端末のユーザー自身が構成プロファイルを削除する操作を行うことが必要となると、使い勝手が良くない。
【００６８】
そこで、実施例２では、端末において第４のステップの終了又は休止が要求されたとき、第１のサーバから端末に、第２の構成プロファイルが送信され、第２の構成プロファイルに基づいて端末のスクリーショット機能が許可に設定にされる第５のステップを実行する。
【００６９】
詳しくは、図７のシーケンス図に示すように、専用アプリ１１は、端末において第２のサーバの閲覧の終了又は休止するための操作がされたことを検知すると、Ｓ２００において標準ブラウザを起動させ、端末のディスプレイに、第２の構成プロファイルのダウンロードの許可を求めるためのリセット画面を表示させる。次いで、専用アプリ１１は、端末において第２の構成プロファイルのダウンロードを許可する操作（例えば、リセット画面の許可アイコンのタップ）がされたことを検知すると、Ｓ２０２において、標準ブラウザ１３を介して第１のサーバ１４に、第２のリクエストを送信する。次いで、Ｓ２０４において、第１のサーバ１４は、スクリーンショット機能を許可に設定するための第２の情報を含む第２の構成プロファイルを、標準ブラウザ１３に送信する。次いで、Ｓ２０６において、専用アプリ１１は、ダウンロードされた構成プロファイルを端末に上書き保存するとともに、端末のＯＳに含まれるインストーラを起動して、第２の構成プロファイルに含まれる第２の情報に基づいて、端末のスクリーンショット機能を許可に設定する。
【００７０】
Ｓ２００〜Ｓ２０６において、端末のユーザーは端末を１回だけ操作すると、スクリーンショット機能の禁止を解除することができる。この場合、ユーザー自身が端末を操作して第１の構成プロファイルを削除する場合よりも、使い勝手がよくなる。
【００７１】
図８は、実施例２の第１のサーバ１４ｘの機能ブロック図である。図８に示すように、第１のサーバ１４ｘは、第２の構成プロファイル送信部１４ｄをさらに備える。第２の構成プロファイル送信部１４ｄは、端末のスクリーンショット機能を許可に設定するための第２の情報を含む第２の構成プロファイルを、端末に送信する。
【００７２】
＜まとめ＞  以上に説明したように、端末に専用アプリがインストールされていれば、第２のサーバは、一般ユーザーの端末に、端末のスクリーンショット機能が禁止されていることを条件に、個人情報を含むコンテンツや著作権保護が必要なコンテンツなどのコンテンツを提供することができる。
【００７３】
また、第１のサーバによって、第２のサーバの負担が軽減される。すなわち、端末のスクリーンショット機能の禁止は、第１のサーバの処理によって実現され、第２のサーバにおいて特別な処理は不要である。また、端末の専用アプリがバージョンアップされたときに、第１のサーバのみをメンテナンスすればよく、第２のサーバのメンテナンスは不要にすることができる。
【００７４】
なお、本発明は、上記実施の形態に限定されるものではなく、種々変更を加えて実施することが可能である。
【符号の説明】
【００７５】
１０  コンテンツ提供システム
１１  専用アプリ
１２  端末
１２ａ  ディスプレイ
１３  標準ブラウザ
１４，１４ｘ  第１のサーバ
１４ａ  第１の構成プリファイル送信部
１４ｂ  判定部
１４ｃ  ＵＲＬ送信部
１４ｄ  第２の構成プロファイル送信部
１６，１７  第２のサーバ（コンテンツサーバ）
１８  通信網
２０  構成プロファイル
２２，２４  記述
２６  電子証明書
２７  データ
【図１】
2014186585.tif 000003
【図２】
2014186585.tif 000004
【図３】
2014186585.tif 000005
【図４】
2014186585.tif 000006
【図５】
2014186585.tif 000007
【図６】
2014186585.tif 000008
【図７】
2014186585.tif 000009
【図８】
2014186585.tif 000010